(57)【要約】      （修正有）【課題】裁縫用具と一緒に毛糸玉が収納でき、毛糸編みの際に毛糸を順次円滑に繰り出すことができる裁縫箱を提供する。【解決手段】裁縫箱本体１に毛糸玉収納室９を設ける。毛糸玉収納室９に毛糸玉収納室９外へ開口する毛糸繰り出し孔１１を穿設する。毛糸繰り出し孔１１の内外両側の縁部をアール１１ａに形成する。【選択図】図１
0003108952.tif 000002
【実用新案登録請求の範囲】
【請求項１】
裁縫箱本体に毛糸玉収納室が設けられ、この毛糸玉収納室に毛糸玉収納室外へ開口する毛糸繰り出し孔が穿設されていることを特徴とする裁縫箱。
【請求項２】
毛糸繰り出し孔の内外両側の縁部がアールに形成されていることを特徴とする請求項１記載の裁縫箱。
【考案の詳細な説明】
【技術分野】
【０００１】
本考案は裁縫箱に関し、詳しくは、毛糸玉が収納でき、毛糸編みの際に毛糸を順次円滑に繰り出すことができる裁縫箱に関するものである。
【背景技術】
【０００２】
従来、毛糸玉を収納でき、毛糸玉を収納したまま毛糸を繰り出し、毛糸編みができる裁縫箱は存在しない。
毛糸編みは、毛糸玉が転がるので紙袋やバック等に毛糸玉を収納して順次毛糸を繰り出すと、毛糸の繰り出し位置が不規則になり易いと共に毛糸がもつれて絡まるので、容器内に収納して使用することが好ましい。
【０００３】
そこで、毛糸玉を収納するための容器として、従来に、例えば実開昭６４ー２６３９１号公報の携帯用毛糸繰出し箱、実開昭６３ー１３１７８５号の毛糸玉入れ容器が提案されている。
実開昭６４ー２６３９１号公報の携帯用毛糸繰出し箱は、携帯を目的とするもので編成途中の編み物も内部に収納できる箱である。
又、実開昭６３ー１３１７８５号公報の毛糸玉入れ容器は、毛糸玉を複数個収納でき、かつ小物入れが付設されている容器である。
【０００４】
これ等の従来のものは、毛糸玉を収納する専用の箱又は容器であると共に、毛糸を繰り出す孔の縁角部に毛糸が引っ掛かる恐れがあり、円滑な繰り出しとなり難い問題点を有していた。
【考案の開示】
【考案が解決しようとする課題】
【０００５】
上記点より、本考案は裁縫用具と一緒に毛糸玉が収納でき、毛糸編みの際に、毛糸を順次円滑に繰り出すことができる裁縫箱を提供しようとするものである。
【課題を解決するための手段】
【０００６】
上記課題を解決するため請求項１記載の本考案裁縫箱は、裁縫箱本体に毛糸玉収納室が設けられ、この毛糸玉収納室に毛糸玉収納室外へ開口する毛糸繰り出し孔が穿設されていることを特徴とするものである。
【０００７】
このような構成とすることにより、裁縫箱本体の毛糸玉収納室内に毛糸玉が収納できるので、別に毛糸玉専用の容器や箱を必要とせず、まとまりが良いと共に毛糸玉収納室内に毛糸玉を収納したままで毛糸繰り出し孔から毛糸を繰り出して編むことができ、毛糸玉が転がって毛糸がもつれて絡まることがない。
又、裁縫箱本体と毛糸玉収納室が一体のため、毛糸編みに使う小物等を裁縫用具と一緒に収納が可能である。
【０００８】
次に、請求項２記載の本考案裁縫箱は、請求項１記載の裁縫箱において、毛糸繰り出し孔の内外両側の縁部がアールに形成されていることを特徴とするものである。
【０００９】
このような構成とすることにより、毛糸繰り出し孔から毛糸が繰り出される際に、毛糸繰り出し孔の縁部のアールに沿って繰り出され、縁部に引っ掛かることがないので毛糸の円滑な繰り出しが可能となる。
【考案の効果】
【００１０】
本考案裁縫箱によれば、裁縫箱本体の毛糸玉収納室内に毛糸玉が収納できるので、別に毛糸玉専用の容器や箱を必要とせず、まとまりが良いと共に毛糸玉収納室内に毛糸を収納したまま毛糸繰り出し孔から毛糸を繰り出して編むことができ、毛糸玉が転がったり、毛糸がもつれて絡まることがなく、効率の良い毛糸編みが可能となる効果を有する。
又、裁縫箱本体と毛糸玉収納室が一体のため、毛糸編みに使う小物等を裁縫用具と一緒に収納が可能で便利である。
【００１１】
毛糸繰り出し孔から毛糸が繰り出される際に、毛糸繰り出し孔の縁部のアールに沿って繰り出され、縁部に引っ掛かることがないので毛糸の円滑な繰り出しが可能となり、効率の良い毛糸編みが可能となる効果を有する。
又、毛糸が毛糸繰り出し孔の縁部に引っ掛からないので毛糸を傷めることがなく、編み上がったものの仕上がりも良好となる効果を有する。
【考案を実施するための最良の形態】
【００１２】
以下、本考案の一実施の形態を図面に基づき説明する。
図１は本考案裁縫箱の一実施の形態を示す蓋を開いた状態の斜視図、図２は同上の断面図である。
【００１３】
裁縫箱本体１は木製で上面が開口した方形状の箱体に形成され、水平板２で上下二段に区画され、裁縫箱本体１の左右両側に側面板３、３の上端面に二個の蝶番４で左右同一サイズの上蓋５、５が側方に回動可能に設けられている。
【００１４】
左右の上蓋５、５が閉じた時は、上蓋５、５の対向する端面同士の間に隙間が設けられ、この隙間から底面が水平板２上に接着剤等で固着された板状の把手部材６の上方部が上方に突出している。
【００１５】
把手部材６は、底面のほか前部の端面が裁縫箱本体１の前面板７の内側面に接着され、後部の端面が裁縫箱本体１の後面板８の内側面に接着され、この把手部材６により上段は中央部で左右二室に区画されている。
【００１６】
把手部材６の上方部の側面に、貫通した孔に形成された把手部６ａが設けられている。この把手部６ａは手を通す大きさで、裁縫箱本体１を持ち運ぶ際に把持する。
【００１７】
把持部材６で左右に区画された一方の室が毛糸玉収納室９となっている。この毛糸玉収納室９は上蓋５を開けると毛糸玉１０が一個入る程度の大きさに形成されている。そして、毛糸玉収納室９を構成する裁縫箱本体１の前面板７に毛糸１０ａを繰り出す毛糸繰り出し孔１１が穿設されている。
この毛糸玉繰り出し孔１１は、繰り出される毛糸１０ａが引っ掛からないように内外両側の縁部が大きなアール１１ａに形成されている。
毛糸編みする時は、毛糸玉収納室９内に予め毛糸玉１０を収納し、毛糸１０ａの先端を毛糸繰り出し孔１１から繰り出しておけば直に編み始めることができる。
【００１８】
把持部材６で区画された他方の室は仕切り１２で複数に仕切られ、縫い針、縫い糸、橋差し等が収納される裁縫用具室１３となっている。
裁縫箱本体１の下段は前方に引き出される抽斗１４が収納されている。抽斗１４内には鋏や編み物に使用する鉤針等が収納可能である。
抽斗１４の前部に抽斗１４を引き出す時に利用する摘１５が固着されている。又前記上蓋５の上面で把手部材６寄り側に上蓋５を開ける時に利用する摘１６が固着されている。
【００１９】
以上、本考案を実施形態に基づき具体的に説明したが、本考案は上記実施形態に何ら限定されるものではなく、例えば毛糸繰り出し孔１１は毛糸玉収納室９の形状によっては毛糸玉収納室９を構成する裁縫箱本体１の側面板３に設けることもできる。
又、前面板７と側面板３の両方に設けて選択的に使用しても良い。又、上蓋５は裁縫箱本体１の後面板８の上端面に設けて前後方向に回動可能とすることもできる等、本考案の趣旨を逸脱しない範囲内で種々の改良、変形が可能である。
【図面の簡単な説明】
【００２０】
【図１】本考案裁縫箱の一実施の形態を示す斜視図である。
【図２】図１の断面図である。
【符号の説明】
【００２１】
１  裁縫箱本体
３  側面板
５  上蓋
６  把手部材
７  前面板
９  毛糸玉収納室
１０  毛糸玉
１０ａ  毛糸
１１  毛糸繰り出し孔
１１ａ  アール
【図１】
0003108952.tif 000003
【図２】
0003108952.tif 000004